(57)【要約】      （修正有）【課題】パイやクッキー、タルトなどバター成分の多い菓子を作る過程で、生地を冷やしながらのばし、生地を扱いやすくするめん棒を提供する。【解決手段】めん棒の本体１は、プラスチック製または木製であり、円筒状で両端にはフタ２がついている。本体の中に保冷剤３を入れ、フタ２をして接着する。バター成分の多い生地を扱う際には、めん棒を冷凍庫で十分に冷やしてから使用する。保冷剤３が冷やされていれば、本体１も持続的に冷やされるので、本体１に触れる生地も持続的に冷やされ、バター成分が溶けにくい。また、本体１が木製とした場合は、水分を吸収するので、めん棒と生地の温度差から本体が結露するのを防ぐ。【選択図】図２
2019037748.tif 000002
【特許請求の範囲】
【請求項１】
内部に保冷剤が入っていることを特徴とするめん棒。
【請求項２】
プラスチック製で内部に保冷剤が入っていることを特徴とするめん棒。
【請求項３】
木製で内部に保冷剤が入っていることを特徴とするめん棒。
【請求項４】
金属製で内部に保冷剤が入っていることを特徴とするめん棒。
【請求項５】
内部に、ビニール等の樹脂で密封された保冷剤が入っていることを特徴とするめん棒。
【請求項６】
開閉可能なフタがついており、ビニール等の樹脂に密封された保冷剤を出し入れできることを特徴とするめん棒。
【請求項７】
内部にビニール等の樹脂で密封したシート状の保冷剤をロール状にしたものが入っていることを特徴とするめん棒。
【発明の詳細な説明】
【技術分野】
【０００１】  本発明は、パイなどの生地をのばす、調理用めん棒に関するものである。
【背景技術】
【０００２】  従来は、パイやクッキー、タルトなど、バター成分の多い生地をめん棒で扱う際、生地が室温や手の体温で溶けてしまい、生地がベタベタになり、そのつど生地を冷蔵庫で冷やし、バター成分を凝固させ、扱いやすくする必要があった。
【発明の概要】
【発明が解決しようとする課題】
【０００３】  しかしながら、以上の技術によれば、生地を冷蔵庫に入れ、バター成分をいちいち凝固させるため、作業を中断しなければならず、手間と時間がかかってしまう。本発明は、この問題点を解決するためになされたものである。
【課題を解決するための手段】
【０００４】  以上の課題を解決するためになされた発明は、内部に保冷剤が入っていることを特徴とするめん棒である。
【発明の効果】
【０００５】  調理の前にあらかじめ、このめん棒を冷凍庫で冷やしておくことで、めん棒が冷やされ、冷凍庫から出してもその保冷効果は持続する。したがって、バター成分の多い生地を室温で扱う際、生地のバター成分が溶けにくく、生地が扱いやすい。また、冷やす必要のない生地を扱う際には冷凍庫で冷やさずに常温で使用することができる。
【図面の簡単な説明】
【０００６】
【図１】図１は本発明の一実施形態を示す斜視図である。
【図２】図２は本発明の一実施形態を示す断面図である。
【図３】図３は本発明の一実施形態を示す断面図である。
【図４】図４は本発明の一実施形態を示す斜視図である。
【図５】図５は本発明の一実施形態を示す断面図である。
【図６】図６は本発明の一実施形態を示す断面図である。
【発明を実施するための形態】
【０００７】  本発明の第一の実施形態を、図１図２に示す。めん棒の本体はプラスチック製であり、円筒状で両端にはフタがついている。本体の中に保冷剤を入れ、フタをして接着する。
【０００８】  バター成分の多い生地を扱う際には、本発明を冷凍庫で十分に冷やしてから使用する。保冷剤３が冷やされていれば、本体１も持続的に冷やされるので、本体に触れる生地も持続的に冷やされ、バター成分が溶けにくい。
【０００９】本発明の第二の実施形態は図１図２と同じであるが、めん棒の本体は木製であり、円筒状で両端にはフタがついている。本体の中に保冷剤入れ、フタをして接着する。
【００１０】バター成分の多い生地を扱う際には、本発明を冷凍庫で十分に冷やしてから使用する。保冷剤３が冷やされていれば、本体１も持続的に冷やされるので、本体に触れる生地も持続的に冷やされ、バター成分が溶けにくいことは、第一の実施形態と同じであるが、第二の実施形態では本体が木製のため、水分を吸収するので、めん棒と生地の温度差から本体が結露するのを防ぐ。
【００１１】本発明の第三の実施形態も図１図２と同じであるが、めん棒の本体は金属製であり、円筒状で両端にはフタがついている。本体の中に保冷剤を入れ、フタをして接着する。
【００１２】バター成分の多い生地を扱う際には、本発明を冷凍庫で十分に冷やしてから使用する。保冷剤３が冷やされていれば、本体１も持続的に冷やされるので、本体に触れる生地も持続的に冷やされ、バター成分が溶けにくいことは、第一第二の実施形態と同じであるが、第三の実施形態では本体が金属のため、生地が冷えやすい。
【００１３】本発明の第四の実施形態を図３に示す。めん棒は円筒状であり両端にはフタがついている。本体の中にビニール等の樹脂で密封した保冷剤を入れ、フタをして接着する。
【００１４】バター成分の多い生地を扱う際には、本発明を冷凍庫で十分に冷やしてから使用する。ビニール等の樹脂で密封した保冷剤５が冷やされていれば、本体１も持続的に冷やされるので、本体に触れる生地も持続的に冷やされ、バター成分が溶けにくいことは、第一第二第三の実施形態と同じであるが、保冷剤がビニール等の樹脂で密封されているため、扱いやすく、保冷剤が漏れる危険も小さい。
【００１５】本発明の第五の実施形態を図４図５に示す。めん棒は円筒状であり、一方の端にはフタが接着されており、もう一方の端には、開閉可能なフタがついており、ビニール等の樹脂で密封した保冷剤を出し入れできる。
【００１６】バター成分の多い生地を扱う際には、ビニール等の樹脂で密封された保冷剤を冷凍庫で十分に冷やしておき、めん棒を使用する際に本体の中に冷やされた保冷剤を入れ、フタをして使用する。保冷剤５が冷やされていれば、本体１も持続的に冷やされるので、本体に触れる生地も持続的に冷やされ、バター成分が溶けにくいことは、第一第二第三第四の実施形態と同じであるが、第五の実施形態では保冷剤が出し入れ可能なため、使用が長時間にわたり、保冷効果がなくなった際には、別に冷凍しておいた保冷剤を先に使用していた保冷剤と交換し、保冷効果を持続することができる。
【００１７】本発明の第六の実施形態を図６に示す。めん棒は円筒状であり両端にフタがついている。中にはビニール等の樹脂で密封したシート状の保冷剤をロール状にしたものが入っている。
【００１８】バター成分の多い生地を扱う際には、本発明を冷凍庫で十分に冷やしてから使用する。ビニール等の樹脂で密封したシート状の保冷剤をロール状にしたもの６が冷やされていれば、本体１も持続的に冷やされるので、本体に触れる生地も持続的に冷やされ、バター成分が溶けにくいことは、第一第二第三第四第五の実施形態と同じであるが、保冷剤がロール状になっているため、めん棒の内側に密着し、保冷効果を高める。
【符号の説明】
【００１９】１  本体
２  フタ
３  保冷剤
４  開閉可能フタ
５  ビニール等の樹脂で密封された保冷剤
６  ビニール等の樹脂で密封したシート状の保冷剤をロール状にしたもの
【図１】
2019037748.tif 000003
【図２】
2019037748.tif 000004
【図３】
2019037748.tif 000005
【図４】
2019037748.tif 000006
【図５】
2019037748.tif 000007
【図６】
2019037748.tif 000008